(57)【要約】      （修正有）【課題】構造が簡易で壊れにくく使い方も簡単であり、移動玩具が独特のリアルな動きをして、物品を獲得して点数を争って遊べる玩具を提供する。【解決手段】駆動機構２を内蔵し円筒体３を立設した台座と、前記円筒体３の内部に収納して移動玩具９０を移動させる移動装置と、前記円筒体３上端に固定した物品収納部４と、前記移動装置によって円筒体３表面を移動して前記物品収納部４から物品Ｂを受け取る移動玩具９０からなり、前記移動装置を、前記移動玩具９０をマグネットＭ１で磁着して移動させる移動体と、この移動体の送り機構を備えたガイド５によって構成した玩具。【選択図】図３
0003154883.tif 000002
【実用新案登録請求の範囲】
【請求項１】
駆動機構を内蔵した台座と、前記台座に立設した筒体と、
前記筒体の内部に収納して移動玩具を移動させる移動装置と、
前記筒体上端に固定した物品収納部と、
前記移動装置によって筒体表面を移動して前記物品収納部から物品を受け取り下方に運搬する移動玩具からなり、
前記移動装置を、前記移動玩具をマグネットで磁着して移動させる移動体と、この移動体の送り機構を備えたガイドによって構成した玩具。
【請求項２】
前記移動体を、基板上に揺動自在に設けられ、ガイドの両側に一定間隔に形成した突起部と係合するリンクと、
前記リンクの両側に回動自在に軸支され、前記基板上を上下動する表面にマグネットを備えた２個の可動板と、
前記基板の裏面に取り付けられ、移動体の送り機構と係合する下部突起によって構成し、
前記移動玩具を、複数の球体からなる尺取虫の玩具によって構成し、前記球体のうち最前部の球体と最後部の球体にマグネットを内蔵し、このマグネットを前記移動体のマグネットと磁着させることで、筒体表面を移動することを特徴とする請求項１記載の玩具。
【請求項３】
本体の内部に収納して移動玩具を水平方向に移動させる移動装置と、本体先端に配置した物品収納部と、
前記移動装置によって本体表面を前進して物品収納部から物品を受け取り後方に運搬する移動玩具からなり、
前記移動装置を、前記移動玩具をマグネットで磁着して移動させる移動体と、前記移動体の作動手段と、両側に複数の突起部を一定間隔に形成したガイドによって構成し、
前記移動体の基板の表面に前記ガイドの突起部と係合するリンクを揺動自在に設け、このリンクの両側に回動自在に軸支されて、前記基板上を前後動するマグネットを備えた２個の可動板を構成した玩具。
【考案の詳細な説明】
【技術分野】
【０００１】
本考案は、玩具に関するものであり、特に虫や動物などを模した移動玩具がマグネットの動きに追随して移動する玩具に関する。
【背景技術】
【０００２】
従来より、台座内にマグネットを移動可能に設け、その台座上にマグネットをつけた移動玩具を配置し、台座内のマグネットが移動するとその動きに同期して移動玩具も移動する玩具が提案されている。
【先行技術文献】
【特許文献】
【０００３】
【特許文献１】登録実用新案第３０６３１２８号特許文献１に記載された考案は、台座上に設けた歩行玩具Ａを人間の動きに似せて歩行させるものであり、台座（１）内には水平方向に回転可能な円板（８）が配置され、この円板上には磁石（１４）（１５）が設けられた２つのスライド部材（１２）（１３）をそれぞれ摺動自在に支持する２つの支持部材（１６）（１７）が設けられるとともに、上記台座内には上記円板を回転させる駆動機構Ｂを配置し、上記円板（８）には上記支持部材（１６）（１７）を交互に上下動させるとともに、上記スライド部材（１２）（１３）を交互に前後にスライドさせる作動機構Ｃを配置してある。一方、走行玩具Ａには磁着体が設けられていて、前記磁石（１４）（１５）に磁着するため、人間に似た歩行をするのである。
【０００４】
前記特許文献１記載の考案では、人間の歩行に似せた動きができるが、動作が単調であり、玩具として子供たちが飽きやすい。また、構造が複雑でモーターや電池などを要するところから、使い方が難しくまた高価となり子供たちが気軽に楽しめるものではなかった。
【考案の概要】
【考案が解決しようとする課題】
【０００５】
本考案は、構造が簡易で壊れにくく使い方も簡単であり電源も必要とせず、また移動玩具が独特のリアルな動きをして、物品を獲得して点数を争って遊べるという玩具を提供するものである。
【課題を解決するための手段】
【０００６】
本考案の要旨とするところは、駆動機構を内蔵した台座と、前記台座に立設した筒体と、前記筒体の内部に収納して移動玩具を移動させる移動装置と、前記筒体上端に固定した物品収納部と、前記移動装置によって筒体表面を移動して前記物品収納部から物品を受け取り下方に運搬する移動玩具からなり、前記移動装置を、前記移動玩具をマグネットで磁着して移動させる移動体と、この移動体の送り機構を備えたガイドによって構成した玩具である。
【０００７】
また本考案の要旨とするところは、前記移動体を、基板上に揺動自在に設けられ、ガイドの両側に一定間隔に形成した突起部と係合するリンクと、前記リンクの両側に回動自在に軸支され、前記基板上を上下動する表面にマグネットを備えた２個の可動板と、前記基板の裏面に取り付けられ、移動体の送り機構と係合する下部突起によって構成し、前記移動玩具を、複数の球体からなる尺取虫の玩具によって構成し、前記球体のうち最前部の球体と最後部の球体にマグネットを内蔵し、このマグネットを前記移動体のマグネットと磁着させることで筒体表面を移動することを特徴とする玩具である。
【０００８】
また本考案の要旨とするところは、本体の内部に収納して移動玩具を水平方向に移動させる移動装置と、本体先端に配置した物品収納部と、前記移動装置によって本体表面を前進して物品収納部から物品を受け取り後方に運搬する移動玩具からなり、前記移動装置を、前記移動玩具をマグネットで磁着して移動させる移動体と、前記移動体の作動手段と、両側に複数の突起部を一定間隔に形成したガイドによって構成し、前記移動体の基板の表面に前記ガイドの突起部と係合するリンクを揺動自在に設け、このリンクの両側に回動自在に軸支されて、前記基板上を前後動するマグネットを備えた２個の可動板を構成した玩具である。
【考案の効果】
【０００９】
請求項１の考案によれば、構造が簡易で扱いやすく子供が安全かつ容易に使用でき、移動玩具が立設した筒体表面を上昇して筒体上端に収納された物品を取得して下降して戻ってくるという、本物の動物と同様なリアルな動きをするため子供が飽きることなくゲームを楽しめるのである。
【００１０】
請求項２の考案によれば、移動体をリンクと可動板によって作成して簡易な構成とし移動玩具を尺取虫としたから、可動板の動きと同期してあたかも尺取虫が筒体上を移動するようなリアルさがあり、興趣に尽きない。
【００１１】
請求項３の考案によれば、平面状に配置した本体の内部に、移動装置を配置し、本体表面上に玩具を前後に移動させることで、犬などの四足の動物を移動玩具として採用できるという効果を奏する。
【図面の簡単な説明】
【００１２】
【図１】本考案の実施形態１の全体斜視図
【図２】同一部切欠き縦断面正面図
【図３】同一部切欠き縦断面側面図
【図４】移動体と移動玩具の作動説明図
【図５】移動体と移動玩具の作動説明図
【図６】移動体と移動玩具の作動説明図
【図７】本考案の実施形態２の説明図
【考案を実施するための形態】
【００１３】
図１は、本考案の実施形態１の全体斜視図、図２は同一部切欠き縦断面正面図、図３は同一部切欠き縦断面側面図、図４乃至図６は移動体と移動玩具の作動説明図である。
【００１４】
実施形態１は、台座１に円筒体３を立設し、この円筒体３の内部に一対のガイド５等からなる移動装置７を収納し、かつ上端に物品収納部であるボール収納部４を構成してなる。
【００１５】
台座１は、前記移動装置７を駆動する駆動機構２を備えている。
すなわち、台座１の側面に２個の支持部１１を構成し、この支持部１１の内部にギアＧ１を収納すると共に、上面に円板１２とつまみ１３を構成する。円板１２は軸１４を介してギアＧ１と連結していて、このギアＧ１は、ギアＧ２、ギアＧ３と噛合している。このギアＧ３が移動装置７のコイル５２の下部支持体５３の軸５３ａに連結している。
【００１６】
前記円筒体３内部に立設したガイド５は、裏板５０と両側板５１，５１からなる断面コ字状であり、内部に移動体６の送り機構であるコイル５２が配置されており、ガイド５の開口部には移動体６が上下方向に移動自在に配置されている。
前記両側板５１,５１の側面には複数の突起部５５,５５・・が一定間隔に形成されている。
【００１７】
前記移動体６は長方形の基板６０等からなり、基板６０の上方にボールの押上体６１を構成している。
基板６０の表面の中央付近に長方形のリンク８０をピン８９によって揺動自在に設け、さらにこのリンク８０の両側に２個の可動板７０、７５を、それぞれピン７４、７９によって回動自在に軸支している。また、基板６０の中央裏面には、前記コイル５２と係合する下部突起６９を構成している。
【００１８】
前記リンク８０の両側の端部には、係合部８１、８３及び係合部８４、８６を対向して突出してある。この係合部は前記ガイド５の突起部５５，５５・・と係合するものである。
【００１９】
前記可動板７０、７５は共に、略正方形の一側を前方に延長してなり、基板６０上に対向して配置されている。
可動板７０は、一側に、基板６０上に立設したピン６３にガイドされるガイド孔７２を穿設してあり、他側にはピン６４にガイドされるガイド孔７３を穿設してある。
この可動板７０の延長部分の先端をピン７４によって前記リンク８０に回動自在に軸支している。また、可動板７０の延長部分と反対側の端部にはマグネットＭが固定されている。
なお、可動板７５は可動板７０と同様な構成であるため、説明を省略する。
【００２０】
一方、移動玩具として、球体９１〜９５からなる尺取虫９０の玩具を構成し、前記球体のうち最前部の球体９１と最後部の球体９５に磁着体であるマグネットＭ１、Ｍ１を内蔵する。
この尺取虫９０はマグネットＭ１，Ｍ１を、前記円筒体３の表面に可動板７０、７５のマグネットＭ，Ｍに磁着して配置し、可動板７０、７５の上下動に伴って円筒体３表面を伸縮しながら移動するのである。
【００２１】
前記円筒体３の上端には、底板４０とドーム型の外壁４３からなるボール収納部４を構成し、この内部に複数のボールＢ，Ｂ・・を収納している。
【００２２】
上記のように構成した、本実施形態の作用を説明する。
図１のように、２個の尺取虫９０を円筒体３の表面に取り付ける。この場合尺取虫９０は、最前部の球体９１と最後部の球体９５のマグネットＭ１，Ｍ１が可動板７０、７５のマグネットＭ，Ｍに磁着している。
【００２３】
次に、２名の競技者が、それぞれつまみ１３を回すと円板１２が回転し、この駆動力がギアＧ１、Ｇ２、Ｇ３を介して移動装置のコイル５２の下部支持体５３の軸５３ａを回転させるのである。
【００２４】
次に移動装置７の作動を尺取虫９０が上昇する場合について説明する。
図４（Ａ）は作動前の初期状態を示す正面図であり、図４（Ｂ）は、尺取虫９０が可動板７０、７５のマグネットＭ，Ｍに磁着している状態を示した側面図である。尺取虫９０は縮んだ状態である。
図４（Ａ）の状態から、下部支持体５３の軸５３ａにギアＧ３からの駆動力が伝達されるとコイル５２が回転する。このコイル５２の回転に伴って、コイル５２と係合している下部突起６９が上方に押し上げられていくから、移動体６も上昇していく。
【００２５】
一方、この初期状態では、図４（Ａ）に示すように、リンク８０の側部の係合部８６はガイド５の図中、左側の突起部５５と係合しているため、リンク８０は上方移動を規制されている。そのためリンク８０は、基板６０の上昇に伴って、ピン８９を中心に反時計方向に回動していく。
【００２６】
これに伴って、リンク８０にピン７４によって軸支されている可動板７０は、リンク８０によって上方に押し上げられていき、同時にリンク８０にピン７９によって軸支されている可動板７５は、ほぼ停止状態を保ち、図５（Ａ）の状態となる。
このとき尺取虫９０は、可動板７０のマグネットＭに磁着している最前部の球体９１のマグネットＭ１が上昇するため球体９１は上昇し、球体９５はほぼ停止状態を保っているから、尺取虫９０は全体として伸びた状態となる（図５（Ｂ）参照）。
なお、このときには前記係合部８６は突起部５５から外れていて、同時に他側の係合部８３がガイド８５の右側の突起部５５と係合するのである。
【００２７】
次いで図５（Ａ）の状態の状態から、さらにコイル５２が回転すると下部突起６９によって基板６０が上昇していく。
このときリンク８０の係合部８３は、前記右側の突起部５５と係合していて、上方移動を規制されているから、リンク８０は基板６０の上昇に伴って、図５（Ａ）の時計方向に回動していく。このとき、係合部８４、８６は前記左側の突起部５５と干渉することなく回動できる。
【００２８】
これに伴って、リンク８０にピン７９によって回動自在に軸支されている可動板７５は、リンク８０によって上方に引き上げられ、可動板７０は、ほぼ停止状態を保ち、図６（Ａ）の状態となる。尺取虫９０は最後部の球体９５が上昇し、最前部の球体９１がほぼ停止状態を保つから再び縮んだ状態となる（図６（Ｂ）参照）。
そして前記係合部８３は前記右側の突起部５５から外れていて、同時に係合部８６がガイド５の左側の突起部５５と係合するのである。
【００２９】
このようにして、移動体６はガイド５の上端まで移動して図３の状態となる。これと同時に尺取虫９０も、伸縮を繰り返しながら上端まで移動する。
このとき、移動体６先端のボールの押上体６１が孔４２よりボール収納部４内に入りボールＢを下から押し上げて落下口４１へと誘導する。
一方、尺取虫９０は先頭が落下口４１へ到達していて、最前部の球体９１に設けたボールの受け口９１ａによって、落下口４１から落下するボールＢを受ける。
【００３０】
一方、ボール収納部４内にはボールＢ，Ｂ・・を攪拌するために攪拌部４８を配置している。この攪拌部４８は、図３に示すようにボール収納部４の底板４０の中心に配置した回動軸４７の上端に固定されている。この回動軸４７の下端には回動板４９が固定してあり、この回動板４９はコイル５２の上部支持体５６の軸５６ａと接触している。
そのため、軸５６ａの回転に伴って攪拌部４８が回転するのである。
【００３１】
その後、競技者はつまみ１３を反対側に回すと、前述と反対の駆動力が働くためコイル５２も逆回転し、前述と反対の作動によって移動体６が下降し、尺取虫９０も下降してくる。
尺取虫９０が最下端までくると、最後部の球体９５が台座１に立設したストッパ１４に衝突し、その衝撃でボールＢは最前部の球体９１のボールの受け口９１ａからはずれて、ケース１５内に落下する。
このようにして、一定時間にケース１５に入ったボールＢの個数を競うのである。
【００３２】
次に、図７に基づいて本考案の実施形態２を説明する。
図７（Ａ）は実施形態２を示す側面図であり、図７（Ｂ）は移動体の平面図である。
本実施形態は、前記の実施形態１の移動装置と同様な構造の移動装置７１０を水平な本体１０１に内蔵している。そして駆動機構を手動の作動棒１０２とした。これによってより簡易な構造となった。
【００３３】
本実施形態の構成を説明する。
本体１０１は長方形の筒体である。この内部には移動体６００が収納されている。前記移動体６００は長方形の基板６１０等からなり、作動棒１０２を固定している。
基板６１０の表面の中央付近に長方形のリンク８００をピン８９０によって揺動自在に設け、さらにこのリンク８００の両側に２個の可動板７００、７５０を、それぞれピン７４０、７９０で回動自在に軸支している。
【００３４】
前記リンク８００の両側の端部には、係合部８１０、８３０及び係合部８４０、８６０を突出して構成してある。この係合部はガイド５１０の突起部５５０，５５０・・と係合するものである。
【００３５】
前記可動板７００、７５０は共に、略正方形の一側を前方に延長した形状であり、基板６１０上に対向して配置されている。
可動板７００は、一側にガイド孔７２０を穿設して、基板６１０上に立設したピン６３０にガイドされる。
この可動板７００の延長部分の先端をピン７４０によって前記リンク８００に回動自在に軸支している。また、可動板７００の端部には２個のマグネットＭが固定されている。
可動板７５０も可動板７００と同様な構成のため、図面に符号を付して説明を省略する。
一方、移動体である犬９８は、口にマグネットＭ３を設け、４本の足の裏にそれぞれマグネットＭ２，Ｍ２・・を固定してあり、このマグネットＭ２が、前記可動板７００、７５０のマグネットＭ，Ｍ・・と磁着している。
【００３６】
本実施形態の作用を説明する。競技者が作動棒１０２を持って移動体６００を図中左方向に前進させると、リンク８００の係合部８１０が突起部５５０に前進を規制されて、その結果リンク８００はピン８９０を中心に回動して可動板７５０を前進させるのである。このようにして前述の実施形態１と同様な作用で移動体６００は前進していく。
【００３７】
それに伴って犬９８の足の裏のマグネットＭ２，Ｍ２・・が前進するため、犬９８が足を交互に動かせて前進するのである。
そして、犬９８のマグネットＭ３が、前方の餌９９のマグネットＭ４に磁着したら、作動棒１０２を引いて、犬９８を後退させるのである。  
【００３８】
このように、本実施形態によれば、犬９８のような四足の動物が、足を前後させながら前進あるいは後退するリアルな動きが再現できる。
【符号の説明】
【００３９】
１  台座
２  駆動機構
３  円筒体
４  物品収納部
５  ガイド
６  移動体
７  移動装置
５２  移動体の送り機構
５５  突起部
６０  基板
６９  下部突起
７０  可動板
７５  可動板
８０  リンク
９０  移動玩具（尺取虫）
９１  球体
９２  球体
９３  球体
９４  球体
９５  球体  
Ｍ  マグネット
【図１】
0003154883.tif 000003
【図２】
0003154883.tif 000004
【図３】
0003154883.tif 000005
【図４】
0003154883.tif 000006
【図５】
0003154883.tif 000007
【図６】
0003154883.tif 000008
【図７】
0003154883.tif 000009